(57)【要約】【課題】  自力で足指の開閉（グッパ）運動を行う。同時に足のツボを刺激し、血液循環の促進を可能とする。【解決手段】  長尺の布製平帯状体を、一端において捻りをかけ、その表面と裏面を接合して環状体１１を形成せしめ、上記平帯状体の両端を接合してループを形成し、ループを形成している平帯状体の内面どうしを接合部にて接合して、輪状体１３を形成して足掛けベルト１とし、このとき接合部と内面どうしの接合部との間の帯状体の長さを、足の外側に掛かる方が３〜１０ｃｍ長くしておき、かくして得られた足掛けベルト１を一対用意し、各足掛けベルト１．１の二つの輪状体１３．１３を紐状の弾性伸縮体２と連結して構成され、これを用いることによってダイナミックな足指の開閉（グッパ）運動が可能となるようにしている。【選択図】図１
2008302180.tif 000002
【特許請求の範囲】
【請求項１】
長尺の布製平帯状体（１５）を一端において捻りをかけ、その表面と裏面を接合部（１６）にて接合して環状体（１１）を形成せしめ、上記平帯状体（１５）の両端を接合してループ（１２）を形成し、ループ（１２）を形成している平帯状体（１５）の内面どうしを接合部（１４）にて接合して、輪状体（１３）を形成して足掛けベルト（１）とし、このとき接合部（１６）と内面どうしの接合部（１４）との間の帯状体（１５）の長さを、一方が他方より３〜１０ｃｍ長くしておき、かくして得られた足掛けベルト（１）を一対用意し、各足掛けベルト（１．１）の二つの輪状体（１３．１３）に紐状の弾性伸縮体（２）を本結びで連結したことを特徴とする足指の開閉運動補助用具（２０）。
【発明の詳細な説明】
【技術分野】
【０００１】  従来、トレーニング用として出願されている特開２０００−１−７３２３の発明は、紐状の弾性伸縮体と連結したフットホルダに、足の５本の指のうち人差し指、中指、薬指の３本を通す帯体のループ、又は、足の全指を１本ずつ通すループを設けて両足の指に装着し、両手両足を動かして紐状の弾性伸縮体を伸ばすと、これに連結したフットホルダで足の指が引っ張られることによって、足の指への刺激と血液の循環や神経の活性化、発達を促そうとするものである。
【発明の開示】
【発明が解決しようとする課題】
【０００２】  解決しようとする問題点は、上記のトレーニング用具では、紐状の弾性伸縮体に連動したフットホルダに、足指の中央の３本を通す帯状のループ、又は、５本の指を１本ずつ通すループで固定されているので、両手両足を動かすことによって、足の指を動かすことはできるが、自力で足の指を継続的かつダイナミックに動かすことができない点である。
一方、現代社会では、いくらお医者さんにかかってもなかなか治らない慢性病に悩む人が増えている時代であり、また、「病気とはいえないが健康でもない」という、いわば半病人のような人も増えており、「健康ではつらつ」という人生の喜びを味わうことなしに、つらい日々を送っている方が案外多い時代である。
東洋医学では、人間の健康は「血」と「気」のバランスによって保たれていると考えられており、「血」は、体の隅々まで新鮮な酸素や栄養物を運び入れ、帰りに二酸化炭素や老廃物などを運び出す役割を果たしており、これを新陳代謝というが、こうした「血」の流れをコントロールしているのが「気」であり、人間の体にはこの「気」を運ぶ「経路」と呼ばれる通路があり、経路の流れがスムーズだと新陳代謝がうまく働いて人間の体はみずみずしく健康になり、とどこおると、頭痛、肩こりなどの身体の不調や高血圧、糖尿病などの病気を起こすことになる。
この経路の流れを良くするのに効果があるのがツボ療法であり、従来のトレーニング用具は、筋肉の強化には効果的であるが、自力で継続的かつ、ダイナミックに足の指を動かして足のツボを刺激し、血液の循環を促進することはできない。
【問題を解決するための手段】
【０００３】  足指の開閉（グッパ）運動補助道具２０（以下本発明１という）は、長尺の布製平帯状体１５を、一端において捻りをかけ、その表面と裏面を接合部１６にて接合して環状体１１を形成せしめ、上記平帯状体１５の両端を接合してループ１２を形成し、ループ１２を形成している平帯状体１５の内面どうしを接合部１４にて接合して、輪状体１３を形成して足掛けベルト１とし、このとき接合部１６と内面どうしの接合部１４との間の帯状体１５の長さを、一方が他方より３〜１０ｃｍ長くしておき、かくして得られた足掛けベルト１を一対用意し、各足掛けベルト１．１の二つの輪状体１３．１３と紐状の弾性伸縮体２を「本結び」で連結したことを特徴とする。
本発明で言う  長尺の布製平帯状体（以下平帯状体という）の素材としては、例えば、人工皮革やジーンズ地のような丈夫な布などがあげられ、帯状体１５の片面の足の裏に当たる部分には、例えば、合成樹脂やゴム製の素材又は、磁器などを設けてもよい。また、その長さは７０〜１５０ｃｍ程度、幅は１〜４ｃｍ程度のものが好ましい。
本発明で形成される環状体１１は、上から見たときワイシャツの襟元のような開口部を生じており、その開口部は下方が大きく、上方は下方より狭くなった形状となり、この形状により足の親指をはめたときに親指にフィットして足裏に快適な感覚が得られる。
上記環状体１１における、開口部の上方の開口周囲の長さとしては、例えば、１３〜１８ｃｍ程度が足の親指にフィットし好適である。ループ１２を形成している平帯状体１５の接合点部１４との間で、一方の長さが他方より３ｃｍ未満になると、親指及び足の外側に違和感が生じ、１０ｃｍ以上になると、親指及び足の内側に違和感が生じて、長時間使用することが困難となるので、この長さの差は３〜１０ｃｍに限定される。
帯状伸縮体２の素材としては、例えば、円筒形のチューブが好ましいが、これに限定されるものではなく、ゴム紐、ゴムベルト等の弾性体でも使用可能である。円筒形ゴムチューブを使用する場合には、全長１５０ｃｍのものを２０ｃｍ伸ばしたとき、弾性力は０．５ｋｇ程度であることが好ましいが、使用者の身長や筋力等に応じて、紐状伸縮体の長さや強度を適したものに変え、足への負荷を容易に調節できることを可能にしている。また、その長さとしては、１００〜１７０ｃｍ程度であることが好ましいが、長さ２００〜３４０ｃｍ程度のものを、二重にして取り付けることも可能である。
【発明の効果】
【０００４】  本発明１によれば、弾性伸縮体２の中央部を腰に回して体の前で交差させ、図４及び図５で示すように、足掛けベルト１の環状体１１を、足の裏側から親指にかけた後、膝を伸ばして下肢の筋肉を適度に緊張させ、足指の開閉をゆっくり繰り返すことにより、これに連結した足掛けベルトが足裏のツボを刺激するとともに、血液の循環を促進することになる。
上記のように足の指を継続的かつ、ダイナミックに動かして足裏のツボを刺激し、血液の循環を促進することにより、気力と集中力を高め、併せて冷え性、不眠症等の軽減を図ることができる。
足の親指に負荷をかけることによって全指に力が入り、容易に足指の開閉運動を行うことができる。
しかも、本発明は、様々な体位、姿勢で使用することができるので、例えば長座（足を伸ばして座る）の姿勢、いすに腰掛けた姿勢、仰向けに寝た姿勢、横向きに寝た姿勢等で使用することができる。更に本発明は、ゴムと布製ベルトを材料に構成されているので、安価に製造することができるとともに体を傷つける恐れがなく、軽量でコンパクトであり、持ち運びが便利で場所を取らず、例えば、自宅（テレビを見ながら、ベットや布団の上などで）職場、ホテル、飛行機、列車、貸切バスの中等、何処ででも手軽に使用することができる。
本発明で言う本結びとは、図７で示すような結びであり、本結びによれば、足掛けベルト１と帯状伸縮体２との連結が容易にでき、かつ、解け難いので安全性がより高く、長さの調整も容易にできる。
【発明を実施するための最良の形態】
【０００５】  以下本発明の実施の形態の一例を図を用いて説明する。
【実施例】
【０００６】  図１に示す本発明１は、図２に示すように、長さ１ｍ、厚さ１．５ｍｍ、幅２．５ｃｍでジーンズ地の帯状体１５を、一端において捻りをかけ、その表面と裏面を接合部１６にて接合して環状体１１を形成せしめ、平帯状体１５の両端を接合してループ１２を形成している平帯状体１５の内面どうしを接合部１４にて接合し、輪状体１３を形成して足掛けベルト１とし、このとき接合部１６と内面どうしの接合部１４との間の平帯状体１５の長さを、一方が他方より５ｃｍ長くしておき、かくして得られた足掛けベルトを一対用意し、各足掛けベルト１．１の二つの環状体１３．１３を、長さ１６０ｃｍ、厚さ１ｍｍの円筒形ゴムチューブの紐状伸縮体と連結した。この実施例では、ゴムの強さは２０ｃｍ伸ばしたとき、弾性力は０．５ｋｇであった。
本発明１は上記のように、足掛けベルト１と紐状弾性体２で構成されており、図６に示すように、紐状伸縮体２の中央部を腰に回して体の前で交叉させ、足掛けベルト１の環状体１１を図４および図５のように足の裏から親指にかけて膝を軽く伸ばし、足に負荷をかけた状態で、足指の開閉（グッパ）運動を行うための補助用具である。
上記足掛けベルトは、素足にかけることが好ましいが、親指又は５本の指が入る靴下を履いてその上から掛けてもよい。
本結びを図７の順序で行うと、環状体１３．１３と紐状伸縮体２の連結が容易にでき、かつ、連結部が解け難く長さの調整も自在にできる。
【図面の簡単な説明】
【０００７】
【図１】  本発明１の実施形態の一部を示す説明図である。
【図２】  図１の足掛けベルトの一例を示す部分拡大図である。
【図３】  図２の環状体１１を示す部分拡大図である。
【図４】  本発明の足かけベルトを使用している状態を示す、足裏側の部分拡大図である。
【図５】  本発明の足掛けベルトを使用している状態を示す、足の甲側の部分拡大図である。
【図６】  本発明の足指の開閉運動補助用具を、実際に使用している状態の一例を示す説明図である。
【図７】  本発明の足掛けベルトと紐状伸縮体を連結する、本結びの部分拡大説明図である。
【符号の説明】
１．足掛けベルト
２．紐状の弾性伸縮体
１１．環状体
１２．ループ
１３．輪状体
１４．長尺の布製平帯状体の内側どうしの接合部
１５．長尺の布製平帯状体
１６．長尺の布製平帯状体の表と裏側の接合部
２０．足指の開閉（グッパ）運動補助道具
【図１】
2008302180.tif 000003
【図２】
2008302180.tif 000004
【図３】
2008302180.tif 000005
【図４】
2008302180.tif 000006
【図５】
2008302180.tif 000007
【図６】
2008302180.tif 000008
【図７】
2008302180.tif 000009